(57)【要約】【課題】圧縮機を有する圧縮機ユニットに対して、調湿回路を有する調湿ユニットが複数並列に接続された調湿システムにおいて、各調湿ユニットをできるだけサーモオフさせずに最適な調湿能力の調整を行うことにある。【解決手段】調湿システムの調湿運転の制御を行うメインコントローラ（1）に、各調湿ユニット（10）の室内空間の室内湿度Ｍｉが目標湿度Ｍｓに近づくように、現在湿度Ｍｉ及び屋外の外気湿度Ｍｏの少なくとも一方と、室内空間の目標湿度Ｍｓとに基づいて決定された冷媒回路（20）の蒸発温度の目標値Ｔｅｓを各調湿ユニット（10）ごとに出力する目標温度決定部（3）と、目標温度決定部（3）から入力された各目標値Ｔｅｓに基づいて決定された蒸発温度の設定値Ｔｅｍを出力する設定温度決定部（7）とを設ける。【選択図】図９
2010085023.tif 000002
【特許請求の範囲】
【請求項１】
容量可変な圧縮機（53）を接続した熱源回路（60）に対して、吸着剤が担持された第１吸着熱交換器（51）と膨張弁（55）と吸着剤が担持された第２吸着熱交換器（52）とを接続した複数の調湿回路（50）が並列に接続されて蒸気圧縮式の冷凍サイクルを行う冷媒回路（20）と、
上記熱源回路（60）の高圧側と上記第１吸着熱交換器（51）の一端とを接続して熱源回路（60）の低圧側と第２吸着熱交換器（52）の一端とを接続する第１状態と、上記熱源回路（60）の高圧側と第２吸着熱交換器（52）の一端とを接続して熱源回路（60）の低圧側と第１吸着熱交換器（51）の一端とを接続する第２状態とに切換可能な切換機構（54）と、
上記切換機構（54）を切り換えて、上記熱源回路（60）の高圧側又は低圧側に接続された吸着熱交換器（51,52）の吸着剤に接触させた空気を該各吸着熱交換器（51,52）に対応する対象空間に送る調湿運転を制御する制御手段（1）とを備えた調湿システムであって、
上記制御手段（1）には、上記各調湿回路（50）の対象空間の現在湿度Ｍｉが目標湿度Ｍｓに近づくように、上記各対象空間の現在湿度Ｍｉ及び屋外の外気湿度Ｍｏの少なくとも一方と、上記各対象空間の目標湿度Ｍｓとに基づいて決定された上記冷媒回路（20）の蒸発温度の目標値Ｔｅｓを上記各対象空間に対応する調湿回路（50）ごとに出力する目標温度決定部（3）と、
上記目標温度決定部（3）から入力された各目標値Ｔｅｓに基づいて決定された上記蒸発温度の設定値Ｔｅｍを出力する設定温度決定部（7）と、
上記冷媒回路（20）の蒸発温度の現在値Ｔｅが上記設定温度決定部（7）から入力された設定値Ｔｅｍに近づくように圧縮機（53）の運転容量を制御する圧縮機制御部（9）とが設けられていることを特徴とする調湿システム。
【請求項２】
請求項１において、
上記設定温度決定部（7）は、上記目標温度決定部（3）から入力された全ての上記目標値Ｔｅｓのうち最も小さな目標値Ｔｅｓを上記設定値Ｔｅｍとして上記圧縮機制御部（9）へ出力するように構成されていることを特徴とする調湿システム。
【請求項３】
請求項１又は２おいて、
上記制御手段（1）には、上記各調湿回路（50）に対応する対象空間の現在湿度Ｍｉと、該対象空間の目標湿度Ｍｓと、該各調湿回路（50）の第１、第２吸着熱交換器（51,52）のうち上記熱源回路（60）の低圧側に接続された吸着熱交換器（51,52）の出口過熱度の現在値ＳＨとに基づいて、上記各調湿回路（50）ごとに能力アップ又は能力ダウンを判定してその判定に対応する信号を出力する能力判定部（8a）と、
上記能力判定部（8a）から入力される信号に基づいて、上記圧縮機制御部（9）に入力される設定値Ｔｅｍを現在よりも増減させる設定温度変更部（8b）とが設けられていることを特徴とする調湿システム。
【請求項４】
請求項３において、
上記設定温度変更部（8b）は、上記能力判定部（8a）から入力される上記各調湿回路（50）ごとの信号が全て能力ダウンの信号である場合には、上記圧縮機制御部（9）へ入力される設定値Ｔｅｍを現在よりも高くするように構成されていることを特徴とする調湿システム。
【請求項５】
請求項３又は４において、
上記設定温度変更部（8b）は、上記能力判定部（8a）から入力される信号の少なくとも１つが能力アップの信号である場合には、上記圧縮機制御部（9）に入力される設定値Ｔｅｍを現在よりも低くするように構成されていることを特徴とする調湿システム。
【請求項６】
請求項１から５の何れか１つにおいて、
上記制御手段（1）には、上記対象空間の現在湿度Ｍｉ及び屋外の外気湿度Ｍｏの少なくとも一方と、該対象空間の目標湿度Ｍｓと、上記設定温度決定部（7）から入力された設定値Ｔｅｍとに基づいて、上記対象空間に対応する上記調湿回路（50）の第１、第２吸着熱交換器（51,52）のうち上記熱源回路（60）の低圧側に接続された吸着熱交換器（51,52）の出口過熱度の設定値ＳＨｓを決定して出力する設定過熱度決定部（4）と、
上記設定過熱度決定部（4）から入力された吸着熱交換器（51,52）の出口過熱度の設定値ＳＨｓに対して、上記出口過熱度の現在値ＳＨが近づくように該吸着熱交換器（51,52）に対応する膨張弁（55）の開度を制御する第１膨張弁制御部（5a）とが設けられていることを特徴とする調湿システム。
【請求項７】
請求項６において、
上記制御手段（1）には、上記対象空間の現在湿度Ｍｉ及び屋外の外気湿度Ｍｏの少なくとも一方と、上記対象空間の目標湿度Ｍｓと、上記設定温度決定部（7）から入力された設定値Ｔｅｍとに基づいて、その対象空間に対応する上記調湿回路（50）の第１、第２吸着熱交換器（51,52）のうち上記熱源回路（60）の低圧側に接続された吸着熱交換器（51,52）の出口過熱度の現在値ＳＨが上記出口過熱度の設定値ＳＨｓとなるように、該吸着熱交換器（51,52）に対応する膨張弁（55）の開度をフィードフォワード制御により調整する第２膨張弁制御部（5b）が設けられていることを特徴とする調湿システム。
【請求項８】
請求項６において、
上記制御手段（1）には、上記対象空間の現在湿度Ｍｉが目標湿度Ｍｓに近づくように、該対象空間に対応する第１膨張弁制御部（5a）へ入力される設定値ＳＨｓを変更する設定過熱度変更部（6）が設けられていることを特徴とする調湿システム。
【発明の詳細な説明】
【技術分野】
【０００１】
本発明は、冷媒回路に接続された吸着熱交換器で空気の湿度を調節する調湿システムに関するものである。
【背景技術】
【０００２】
従来より、室外空気や室内空気を調湿し、調湿後の空気を室内へ供給する調湿装置が知られている。
【０００３】
特許文献１の調湿装置は、そのケーシング内に圧縮機と第１吸着熱交換器と膨張弁と第２吸着熱交換器と四路切換弁とが接続された冷媒回路を備えている。尚、第１、第２吸着熱交換器は、熱交換器の表面に吸着剤が担持されている。そして、この冷媒回路を冷媒が循環することにより、蒸気圧縮式の冷凍サイクルを行うようになっている。
【０００４】
又、上記冷媒回路では、上記四路切換弁の設定が第１状態と第２状態とに切り換わるようになっている。上記四路切換弁が第１状態となると、圧縮機の吐出側と第１吸着熱交換器とが繋がり、圧縮機の吸入側と第２吸着熱交換器とが繋がる。つまり、第１吸着熱交換器が高圧側に設定され、第２吸着熱交換器が低圧側に設定される。
【０００５】
この第１状態では、圧縮機から吐出された冷媒が高圧側の第１吸着熱交換器で凝縮する。凝縮後の冷媒は、膨張弁で減圧された後、低圧側の第２吸着熱交換器で蒸発する。蒸発後の冷媒は圧縮機へ再び吸入される。以上のような動作（第１動作）により、各調湿ユニットでは、第１吸着熱交換器の吸着剤が冷媒に加熱されて再生される一方、第２吸着熱交換器の吸着剤が冷媒に冷却され、この吸着剤に空気中の水分が吸着される。
【０００６】
又、上記四路切換弁が第２状態となると、圧縮機の吐出側と第２吸着熱交換器とが繋がり、圧縮機の吸入側と第１吸着熱交換器とが繋がる。つまり、第１状態とは逆に、第１吸着熱交換器が低圧側に設定され、第２吸着熱交換器が高圧側に設定される。
【０００７】
この第２状態では、上記圧縮機で圧縮された冷媒が高圧側の第２吸着熱交換器で凝縮する。凝縮後の冷媒は、膨張弁で減圧された後、低圧側の第１吸着熱交換器で蒸発する。蒸発後の冷媒は圧縮機へ再び吸入される。以上のような動作（第２動作）により、各調湿ユニットでは、第２吸着熱交換器の吸着剤が冷媒に加熱されて再生される一方、第１吸着熱交換器の吸着剤が冷媒に冷却され、この吸着剤に空気中の水分が吸着される。
【０００８】
又、上記ケーシングには外気吸込口と内気吸込口と給気口と排気口とが形成され、該ケーシングの内部には外気吸込口及び給気口を連通する外気通路と、内気吸込口及び排気口を連通する内気通路とが形成されている。上記外気通路と上記内気通路とが交差する部分には、空気流路切換機構と第１、第２吸着熱交換器とが設けられている。
【０００９】
そして、上記空気流路切換機構を切り換えることにより、上記外気吸込口から取り込んだ空気を第１又は第２吸着熱交換器の一方に接触させて調湿した後、その調湿した空気を上記給気口から吹き出し、上記内気吸込口から取り込んだ空気を第１又は第２吸着熱交換器の他方に接触させて調湿した後、その調湿した空気を上記排気口から吹き出すことができるようになっている。
【００１０】
上記調湿装置の除湿運転では、上記四路切換弁と上記空気通路切換機構とを切り換えながら、上記外気吸込口から取り込んだ空気を常に低圧側の第１又は第２吸着熱交換器の吸着剤に接触させてから上記給気口から吹き出し、上記内気吸込口から取り込んだ空気を常に高圧側の第１又は第２吸着熱交換器の吸着剤に接触させてから上記排気口から吹き出している。一方、上記調湿装置の加湿運転では、上記四路切換弁と上記空気通路切換機構とを切り換えながら、上記外気吸込口から取り込んだ空気を常に高圧側の第１又は第２吸着熱交換器の吸着剤に接触させてから上記給気口から吹き出し、上記内気吸込口から取り込んだ空気を常に低圧側の第１又は第２吸着熱交換器の吸着剤に接触させてから上記排気口から吹き出している。このように、上記調湿装置では連続的な除湿運転や加湿運転が可能となっている。
【００１１】
又、特許文献２には、圧縮機を有する熱源回路に対して、第１吸着熱交換器と膨張弁と第２吸着熱交換器とを有する複数の調湿回路が並列に接続された冷媒回路を備えたマルチ式の調湿システムが開示されている。この調湿システムでは、上記熱源回路は圧縮機ユニットに収納され、各調湿回路は調湿ユニットに収納されている。そして、この調湿システムでは、上記調湿ユニットを各部屋毎に配置することにより、各部屋毎に個別に調湿を行うことができる。
【特許文献１】特開２００４−２９４０４８号公報
【特許文献２】特開２００５−２８３０５３号公報
【発明の開示】
【発明が解決しようとする課題】
【００１２】
ところで、特許文献２に開示されているような調湿システムにおいて、その能力制御を各調湿回路ごとにどのように行うかが問題となる。例えば、上記各調湿回路をマルチ式の空調システムと同様に行うと、室内の湿度をうまくコントロールできないことが考えられる。
【００１３】
つまり、上記空調システムの場合、例えば、冷房運転において、冷媒回路の蒸発温度が予め固定された設定温度となるように圧縮機の運転容量を制御している。このため、圧縮機運転条件によっては、ある室内の空調負荷に対して該室内ユニットの空調能力が過剰になることがある。このような場合には、その室内ユニットをサーモオフさせることで、その室内の温度を設定温度よりも低くなりすぎないようにしている。
【００１４】
上記調湿システムは、空調システムとは違い、その除湿運転や加湿運転が換気運転を兼ねている。このことから、室内の調湿負荷に対して調湿回路の調湿能力が過剰になった場合に、上記空調システムのようにその調湿回路をサーモオフさせてしまうと、調湿されない外気が室内に供給されてしまう。すると、室内の湿度が外気湿度に早く近づいてしまい調湿状態をうまくコントロールできないことが考えられる。
【００１５】
本発明は、かかる点に鑑みてなされたものであり、その目的は、複数の調湿回路が接続されて蒸気圧縮式の冷凍サイクルを行う冷媒回路を備えた調湿システムにおいて、各調湿回路をできるだけサーモオフさせずに最適な調湿能力の調整を行うことにある。
【課題を解決するための手段】
【００１６】
第１の発明は、容量可変な圧縮機（53）を接続した熱源回路（60）に対して、吸着剤が担持された第１吸着熱交換器（51）と膨張弁（55）と吸着剤が担持された第２吸着熱交換器（52）とを接続した複数の調湿回路（50）が並列に接続されて蒸気圧縮式の冷凍サイクルを行う冷媒回路（20）と、上記熱源回路（60）の高圧側と上記第１吸着熱交換器（51）の一端とを接続して熱源回路（60）の低圧側と第２吸着熱交換器（52）の一端とを接続する第１状態と、上記熱源回路（60）の高圧側と第２吸着熱交換器（52）の一端とを接続して熱源回路（60）の低圧側と第１吸着熱交換器（51）の一端とを接続する第２状態とに切換可能な切換機構（54）と、上記切換機構（54）を切り換えて、上記熱源回路（60）の高圧側又は低圧側に接続された吸着熱交換器（51,52）の吸着剤に接触させた空気を該各吸着熱交換器（51,52）に対応する対象空間に送る調湿運転を制御する制御手段（1）とを備えた調湿システムを前提としている。
【００１７】
そして、上記調湿システムの制御手段（1）には、上記各調湿回路（50）の対象空間の現在湿度Ｍｉが目標湿度Ｍｓに近づくように、上記各対象空間の現在湿度Ｍｉ及び屋外の外気湿度Ｍｏの少なくとも一方と、上記各対象空間の目標湿度Ｍｓとに基づいて決定された上記冷媒回路（20）の蒸発温度の目標値Ｔｅｓを上記各対象空間に対応する調湿回路（50）ごとに出力する目標温度決定部（3）と、上記目標温度決定部（3）から入力された各目標値Ｔｅｓに基づいて決定された上記蒸発温度の設定値Ｔｅｍを出力する設定温度決定部（7）と、上記冷媒回路（20）の蒸発温度の現在値Ｔｅが上記設定温度決定部（7）から入力された設定値Ｔｅｍに近づくように圧縮機（53）の運転容量を制御する圧縮機制御部（9）とが設けられていることを特徴としている。
【００１８】
ここで、上記目標値Ｔｅｓは、上記各調湿回路（50）の対象空間の現在湿度Ｍｉが目標湿度Ｍｓに近づくように決定された値である。つまり、上記調湿回路（50）の調湿能力と調湿負荷とがほぼ等しくなるような蒸発温度の値である。
【００１９】
第１の発明では、上述した空調システムとは違い、上記調湿回路（50）の運転状況、即ち上記現在湿度Ｍｉ、上記外気湿度Ｍｏ及び上記目標湿度Ｍｓに基づいて各調湿回路（50）ごとに最適な上記目標値Ｔｅｓを決定し、それらの目標値Ｔｅｓに基づいて上記設定値Ｔｅｍを決定している。
【００２０】
つまり、上述した空調システムとは違い、予め固定された設定値Ｔｅｍで上記圧縮機（53）の運転容量を制御するのではなく、上記各調湿回路（50）の側から上記設定値Ｔｅｍを決定している。こうすることで、各調湿回路（50）の調湿能力を調湿負荷に近づけやすくすることができる。尚、上記調湿回路（50）の調湿能力とは、該調湿回路（50）が有する吸着熱交換器（51,52）の調湿能力のことをいう。
【００２１】
第２の発明は、第１の発明において、上記設定温度決定部（7）は、上記目標温度決定部（3）から入力された全ての上記目標値Ｔｅｓのうち最も小さな目標値Ｔｅｓを上記設定値Ｔｅｍとして上記圧縮機制御部（9）へ出力するように構成されていることを特徴としている。
【００２２】
第２の発明では、上記目標温度決定部（3）から入力された全ての上記目標値Ｔｅｓのうち最も小さな目標値Ｔｅｓが上記設定値Ｔｅｍとして上記圧縮機制御部（9）へ出力される。
【００２３】
こうすると、上記設定値Ｔｅｍを全ての調湿回路（50）の目標値Ｔｅｓ以下に設定することができ、全ての調湿回路（50）において、できるだけサーモオフさせない範囲内で調湿能力の不足を生じさせにくくすることができる。
【００２４】
第３の発明は、第１又は第２の発明おいて、上記制御手段（1）には、上記各調湿回路（50）に対応する対象空間の現在湿度Ｍｉと、該対象空間の目標湿度Ｍｓと、該各調湿回路（50）の第１、第２吸着熱交換器（51,52）のうち上記熱源回路（60）の低圧側に接続された吸着熱交換器（51,52）の出口過熱度の現在値ＳＨとに基づいて、上記各調湿回路（50）ごとに能力アップ又は能力ダウンを判定してその判定に対応する信号を出力する能力判定部（8a）と、上記能力判定部（8a）から入力される信号に基づいて、上記圧縮機制御部（9）に入力される設定値Ｔｅｍを現在よりも増減させる設定温度変更部（8b）とが設けられていることを特徴としている。
【００２５】
第３の発明では、上記能力判定部（8a）において、調湿負荷に対して調湿能力が余っている調湿回路（50）を能力ダウンと判定し、調湿負荷に対して調湿能力が足りない調湿回路（50）を能力アップと判定する。そして、その各調湿回路（50）ごとの判定結果に基づいて、上記設定温度変更部（8b）が上記圧縮機制御部（9）へ入力される設定値Ｔｅｍを変更することできる。
【００２６】
尚、上記能力判定部（8a）が行う判定は、例えば、上記対象空間の現在湿度Ｍｉと目標湿度Ｍｓとを比較して上記調湿回路（50）の調湿能力が調湿負荷よりも大きく、且つそのときの調湿回路（50）の第１、第２吸着熱交換器（51,52）のうち上記熱源回路（60）の低圧側に接続された吸着熱交換器（以下、低圧側の吸着熱交換器という。）（51,52）の出口過熱度の現在値ＳＨが上限値よりも大きい場合には、上記能力判定部（8a）は、その調湿回路（50）を能力ダウンと判定する。ここで、上記出口過熱度の上限値は、上記膨張弁（55）が最小開度のときの出口過熱度に近い値にするとよい。こうすると、能力ダウンの判定を確実に行うことができる。
【００２７】
一方、上記現在湿度Ｍｉと目標湿度Ｍｓとを比較して上記調湿回路（50）の調湿能力が調湿負荷よりも小さく、且つそのときの低圧側の吸着熱交換器（51,52）の出口過熱度が下限値よりも小さい場合には、上記能力判定部（8a）は、その調湿回路（50）を能力アップと判定する。ここで、上記出口過熱度の下限値は、上記圧縮機（53）に液冷媒が吸入されない程度に小さな値にするとよい。こうすると、能力アップの判定を確実に行うことができる。
【００２８】
第４の発明は、第３の発明において、上記設定温度変更部（8b）は、上記能力判定部（8a）から入力される上記各調湿回路（50）ごとの信号が全て能力ダウンの信号である場合には、上記圧縮機制御部（9）へ入力される設定値Ｔｅｍを現在よりも高くするように構成されていることを特徴としている。
【００２９】
第４の発明では、上記設定温度変更部（8b）により、全ての調湿回路（50）において、それらの調湿能力が余り気味と判定された場合には、上記設定値Ｔｅｍを現在よりも高くして、調湿能力が不足気味とならない範囲で、全ての調湿回路（50）の調湿能力を一律に減少させることができる。
【００３０】
第５の発明は、第３又は第４の発明において、上記設定温度変更部（8b）は、上記能力判定部（8a）から入力される信号の少なくとも１つが能力アップの信号である場合には、上記圧縮機制御部（9）に入力される設定値Ｔｅｍを現在よりも低くするように構成されていることを特徴としている。
【００３１】
第５の発明では、上記設定温度変更部（8b）により、少なくとも１つの調湿回路（50）で調湿能力が不足気味と判定された場合には、上記設定値Ｔｅｍを現在よりも低くして、調湿能力が余り気味とならない範囲で、各調湿回路（50）の調湿能力を一律に増加させることができる。
【００３２】
第６の発明は、第１から第６の何れか１つの発明において、上記制御手段（1）には、上記対象空間の現在湿度Ｍｉ及び屋外の外気湿度Ｍｏの少なくとも一方と、該対象空間の目標湿度Ｍｓと、上記設定温度決定部（7）から入力された設定値Ｔｅｍとに基づいて、上記対象空間に対応する上記調湿回路（50）の第１、第２吸着熱交換器（51,52）のうち上記熱源回路（60）の低圧側に接続された吸着熱交換器（51,52）の出口過熱度の設定値ＳＨｓを決定して出力する設定過熱度決定部（4）と、上記設定過熱度決定部（4）から入力された吸着熱交換器（51,52）の出口過熱度の設定値ＳＨｓに対して、上記出口過熱度の現在値ＳＨが近づくように該吸着熱交換器（51,52）に対応する膨張弁（55）の開度を制御する第１膨張弁制御部（5a）とが設けられていることを特徴としている。
【００３３】
第６の発明では、上記設定過熱度決定部（4）と上記第１膨張弁制御部（5a）とにより、上記各調湿回路（50）の調湿能力を、上記圧縮機（53）の容量制御と上記出口過熱度ＳＨに基づく上記膨張弁（55）の開度制御とで行うことができる。これにより、各調湿回路（50）の調湿能力を調湿負荷にさらに近づけやすくすることができる。
【００３４】
第７の発明は、第６の発明において、上記制御手段（1）には、上記対象空間の現在湿度Ｍｉ及び屋外の外気湿度Ｍｏの少なくとも一方と、上記対象空間の目標湿度Ｍｓと、上記設定温度決定部（7）から入力された設定値Ｔｅｍとに基づいて、その対象空間に対応する上記調湿回路（50）の第１、第２吸着熱交換器（51,52）のうち上記熱源回路（60）の低圧側に接続された吸着熱交換器（51,52）の出口過熱度の現在値ＳＨが上記出口過熱度の設定値ＳＨｓとなるように、該吸着熱交換器（51,52）に対応する膨張弁（55）の開度をフィードフォワード制御により調整する第２膨張弁制御部（5b）が設けられていることを特徴としている。
【００３５】
第７の発明では、上記第２膨張弁制御部（5b）により、上記膨張弁（55）の開度を予め予測した開度で調整することができ、各調湿回路（50）の調湿能力を該膨張弁（55）で調整する際の変動を小さくすることができる。
【００３６】
第８の発明は、第６の発明において、上記制御手段（1）には、上記対象空間の現在湿度Ｍｉが目標湿度Ｍｓに近づくように、該対象空間に対応する第１膨張弁制御部（5a）へ入力される設定値ＳＨｓを変更する設定過熱度変更部（6）が設けられていることを特徴としている。
【００３７】
第８の発明では、上記設定過熱度変更部（6）により、上記現在湿度Ｍｉが上記目標湿度Ｍｓに近づくように、第１膨張弁制御部（5a）へ入力される設定値ＳＨｓを変更することができる。
【００３８】
例えば、上記対象空間の現在湿度Ｍｉが目標湿度Ｍｓに対して近づく速度が想定したよりも遅い場合、または能力が不足している方向に離れていく場合は、調湿能力を増やさなければならないので、上記設定値ＳＨｓを現在よりも小さくする。すると、上記第１膨張弁制御部（5a）が、小さくなった設定値ＳＨｓに対して上記現在値ＳＨを近づけるように上記膨張弁（55）の弁を開く方向に制御する。これにより、上記吸着熱交換器（51,52）を流れる冷媒が増加して、調湿能力を増大させる。
【００３９】
一方、上記対象空間の現在湿度Ｍｉが目標湿度Ｍｓに対して近づく速度が想定したよりも速すぎる場合、または能力が過剰な方向に離れていく場合は、調湿能力を減らさなければならないので、上記設定値ＳＨｓを現在よりも大きくする。すると、上記第１膨張弁制御部（5a）が、大きくなった設定値ＳＨｓに対して上記現在値ＳＨを近づけるように上記膨張弁（55）の弁を閉まる方向に制御する。これにより、上記吸着熱交換器（51,52）を流れる冷媒が減少して、調湿能力を減少させる。
【発明の効果】
【００４０】
本発明によれば、上記調湿回路（50）の運転状況に応じて決定された最適な上記目標値Ｔｅｓに基づいて上記設定値Ｔｅｍを決定している。こうすると、上述した空調システムよりも、各調湿回路（50）の調湿能力を調湿負荷に近づけやすくすることができる。
【００４１】
これにより、上記各調湿回路（50）をできるだけサーモオフさせずに最適な調湿能力の調整を行うことができる。
【００４２】
また、上記第２の発明によれば、上記目標温度決定部（3）から入力された全ての上記目標値Ｔｅｓのうち最も小さな目標値Ｔｅｓを上記設定値Ｔｅｍに設定することにより、全ての調湿回路（50）において、できるだけサーモオフさせない範囲内で調湿能力の不足を生じさせにくくしながら最適な調湿能力の調整を行うことができる。
【００４３】
また、上記第３の発明によれば、上記能力判定部（8a）により、各調湿回路（50）ごとに必要に応じて能力アップ又は能力ダウンを判定し、その判定結果に基づいて、上記圧縮機制御部（9）へ入力される上記設定値Ｔｅｍを変更することができる。これにより、各調湿回路（50）の能力変化に応じて上記設定値Ｔｅｍを最適に設定することができる。
【００４４】
また、上記第４の発明によれば、全ての調湿回路（50）において、調湿能力が余り気味と判定された場合には、上記設定値Ｔｅｍを現在よりも高くして、調湿能力が不足気味とならない範囲で、全ての調湿回路（50）の調湿能力を一律に減少させることができる。これにより、全ての調湿回路（50）の調湿能力が調湿負荷に近づくので、上記各調湿回路（50）をできるだけサーモオフさせずに最適な調湿能力の調整を行うことができる。
【００４５】
また、上記第５の発明によれば、少なくとも１つの調湿回路（50）で調湿能力が不足気味と判定された場合には、上記設定値Ｔｅｍを現在よりも低くして、調湿能力が余り気味とならない範囲で、各調湿回路（50）の調湿能力を一律に増加させることができる。これにより、全ての調湿回路（50）において、調湿能力不足を生じさせずに最適に調湿能力の調整を行うことができる。
【００４６】
また、上記第６の発明によれば、上記各調湿回路（50）の調湿能力を、上記圧縮機（53）の容量制御と上記出口過熱度ＳＨに基づく上記膨張弁（55）の開度制御とで行うことができ、各調湿回路（50）の調湿能力を調湿負荷にさらに近づけやすくすることができる。これにより、上記各調湿回路（50）をできるだけサーモオフさせずにさらに最適な調湿能力の調整を行うことができる。
【００４７】
また、上記第７の発明によれば、上記第２膨張弁制御部（5b）により、上記膨張弁（55）の開度を予め予測した開度で調整することができ、各調湿回路（50）の調湿能力を調整する際の変動を小さくすることができる。これにより、上記各調湿回路（50）をできるだけ安定した状態で最適な調湿能力の調整を行うことができる。
【００４８】
また、上記第８の発明によれば、上記設定過熱度変更部（6）により、上記現在湿度Ｍｉが上記目標湿度Ｍｓに近づくように、第１膨張弁制御部（5a）へ入力される設定値ＳＨｓを変更することができる。これにより、各調湿回路（50）の調湿能力を調湿負荷にさらに近づけやすくすることができる。
【発明を実施するための最良の形態】
【００４９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００５０】
本実施形態の調湿システムは、圧縮機ユニット（60a）と調湿ユニット（10）とを備えている。各調湿ユニット（10）は、取り込んだ室外空気（OA）の湿度を調節して室内へ供給する。各調湿ユニット（10）は、例えば天井裏に設置される。なお、本実施形態の調湿システムには、複数の調湿ユニット（10a,10b,10c）が設けられている。これらの調湿ユニット（10a,10b,10c）は、同様の構成となっている。
【００５１】
〈調湿ユニットの全体構成〉
まず、調湿ユニット（10）の構成について、図１を適宜参照しながら説明する。なお、ここでの説明で用いる「上」「下」「左」「右」「前」「後」「手前」「奥」は、特にことわらない限り、調湿ユニット（10）を前面側から見た場合の方向を意味している。
【００５２】
上記調湿ユニット（10）は、ケーシング（11）を備えている。また、ケーシング（11）内には、詳細は後述する冷媒回路（20）の一部を構成する調湿回路（50）が収容されている。調湿回路（50）には、第１吸着熱交換器（51）、第２吸着熱交換器（52）、四路切換弁（54）、及び電動膨張弁（55）が接続されている。
【００５３】
ケーシング（11）は、やや扁平で高さが比較的低い直方体状に形成されている。ケーシング（11）では、図１における上側の側面（即ち、前面）が前面パネル部（12）となり、下側の側面（即ち、背面）が背面パネル部（13）となっている。また、ケーシング（11）では、図１の平面図における右側の側面が第１側面パネル部（14）となり、左側の側面が第２側面パネル部（15）となっている。
【００５４】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００５５】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００５６】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００５７】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００５８】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００５９】
ケーシング（11）内において、上流側仕切板（71）と背面パネル部（13）の間の空間は、上下２つの空間に仕切られており、下側の空間が外気側通路（34）を構成し、上側の空間が内気側通路（32）を構成している。外気側通路（34）は、外気吸込口（24）と連通し、内気側通路（32）は、内気吸込口（23）と連通している。外気側通路（34）には、第１フィルタ（28）と外気湿度センサ（図示無し）とが設置されている。内気側通路（32）には、第２フィルタ（27）と室内湿度センサ（図示無し）とが設置されている。
【００６０】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、調湿回路（50）の電動膨張弁（55）が収容されている。
【００６１】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。各吸着熱交換器（51,52）は、空気中の水分を吸着する吸着動作と、吸着した水分を空気中へ放出する再生動作（脱着動作）とが行われる吸着部材を構成している。
【００６２】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００６３】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００６４】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００６５】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００６６】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。また、給気ファン室（36）には、調湿回路（50）の四路切換弁（54）が収容されている。
【００６７】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００６８】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００６９】
なお、図１の右側面図及び左側面図では、第１バイパス通路（81）、第２バイパス通路（82）、第１バイパス用ダンパ（83）、及び第２バイパス用ダンパ（84）の図示を省略している。
【００７０】
〈冷媒回路の構成〉
上記調湿システムは、冷媒が循環して蒸気圧縮式の冷凍サイクルが行われる冷媒回路（20）を備えている。本実施形態の冷媒回路（20）は、熱源回路（60）に複数の調湿回路（50）が並列に接続されて構成されている。
【００７１】
上記熱源回路（60）には、圧縮機（53）が接続されている。圧縮機（53）は、モータの回転数（即ち、容量）が可変な、いわゆるインバータ式の圧縮機で構成されている。また、圧縮機（53）は、例えばスクロール式の圧縮機で構成されている。上記熱源回路（60）は、調湿ユニット（10）と異なる圧縮機ユニット（60a）に収容されている。しかしながら、熱源回路（60）を複数の調湿ユニット（10）のいずれかに収容するようにしても良い。
【００７２】
上記圧縮機（53）の吐出側には、高圧ガス配管（65）の一端が接続している。高圧ガス配管（65）の他端側は、複数に分岐して各調湿回路（50）の流入端と接続している。圧縮機（53）の吸入側には、低圧ガス配管（66）の一端が接続している。低圧ガス配管（66）の他端側は、複数に分岐して各調湿回路（50）の流出端と接続している。
【００７３】
各調湿回路（50）では、上記の第１吸着熱交換器（51）と電動膨張弁（55）と第２吸着熱交換器（52）とが順に接続されている。電動膨張弁（55）は、開度が調節自在な電子膨張弁で構成されている。更に、調湿回路（50）には、切換機構としての上記四路切換弁（54）が設けられている。
【００７４】
上記四路切換弁（54）は、第１から第４までのポートを有している。四路切換弁（54）の第１ポートは、高圧ガス配管（65）を介して熱源回路（60）の高圧側と繋がり、四路切換弁（54）の第２ポートは、低圧ガス配管（66）を介して熱源回路（60）の低圧側と繋がっている。また、四路切換弁（54）の第３ポートは、第１吸着熱交換器（51）の一端と繋がり、四路切換弁（54）の第４ポートは、第２吸着熱交換器（52）の一端と繋がっている。四路切換弁（54）は、第１のポートと第３のポートとが連通して第２のポートと第４のポートが連通する第１状態と、第１のポートと第４のポートが連通して第２のポートと第３のポートが連通する第２状態とに切換可能となっている。即ち、図２に示す第１状態の四路切換弁（54）は、熱源回路（60）の高圧側と第１吸着熱交換器（51）の一端とを繋いで熱源回路（60）の低圧側と第２吸着熱交換器（52）の一端を繋ぐ。また、図３に示す第２状態の四路切換弁（54）は、熱源回路（60）の高圧側と第２吸着熱交換器（52）とを繋いで熱源回路（60）の低圧側と第１吸着熱交換器（51）とを繋ぐ。
【００７５】
〈コントローラの構成〉
上記調湿システムには、該調湿システムの調湿運転を制御するメインコントローラ（制御手段）（1）が設けられている。図９に示すように、上記メインコントローラ（1）は、複数の調湿側のサブコントローラ（1a）と１つの圧縮機側のサブコントローラ（1b）により構成されている。
【００７６】
上記各調湿側のサブコントローラ（1a）は、各調湿ユニット（10）ごとに設けられており、目標湿度入力部（2）と目標温度決定部（3）と設定過熱度決定部（4）と設定過熱度変更部（6）と第１、第２膨張弁制御部（5a,5b）とを備えている。上記圧縮機側のサブコントローラ（1b）は、上記圧縮機ユニット（60a）に設けられており、設定温度決定部（7）と設定温度補正部（8）とインバータ（圧縮機制御部）（9）とを備えている。
【００７７】
このように構成されたメインコントローラ（1）が行う調湿運転制御の中には、各調湿ユニット（10）の能力制御が含まれる。詳細は後述する。
【００７８】
−運転動作−
本実施形態の調湿システムの各調湿ユニット（10）は、除湿換気運転と、加湿換気運転と、単純換気運転とを選択的に行う。除湿換気運転中や加湿換気運転中の調湿ユニット（10）では、取り込んだ室外空気（OA）を湿度調節してから供給空気（SA）として室内へ供給する調湿動作が行われ、同時に取り込んだ室内空気（RA）が排出空気（EA）として室外へ排出される。一方、単純換気運転中の各調湿ユニット（10）では、取り込んだ室外空気（OA）がそのまま供給空気（SA）として室内へ供給され、同時に取り込んだ室内空気（RA）がそのまま排出空気（EA）として室外へ排出される。以下、調湿ユニット（10）の各運転について詳細に説明する。
【００７９】
〈除湿換気運転〉
除湿換気運転中の調湿ユニット（10）では、後述する第１動作と第２動作が所定の時間間隔（３分間隔）で交互に繰り返される。つまり、除湿換気運転での２つの動作の１回毎の動作時間は３分に設定されている。この除湿換気運転中において、第１バイパス用ダンパ（83）及び第２バイパス用ダンパ（84）は、常に閉状態となる。
【００８０】
除湿換気運転中の調湿ユニット（10）では、室外空気が外気吸込口（24）からケーシング（11）内へ第１空気として取り込まれ、室内空気が内気吸込口（23）からケーシング（11）内へ第２空気として取り込まれる。
【００８１】
先ず、除湿換気運転の第１動作について説明する。図４に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、
第１動作中の調湿回路（50）では、四路切換弁（54）が第１状態（図２に示す状態）に設定され、第１吸着熱交換器（51）が凝縮器（高圧側の吸着熱交換器）となって第２吸着熱交換器（52）が蒸発器（低圧側の吸着熱交換器）となる。
【００８２】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００８３】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００８４】
次に、除湿換気運転の第２動作について説明する。図５に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の調湿回路（50）では、四路切換弁（54）が第２状態（図３に示す状態）に設定され、第１吸着熱交換器（51）が蒸発器（低圧側の吸着熱交換器）となって第２吸着熱交換器（52）が凝縮器（高圧側の吸着熱交換器）となる。
【００８５】
上記外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００８６】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００８７】
〈加湿換気運転〉
加湿換気運転中の調湿ユニット（10）では、後述する第１動作と第２動作が所定の時間間隔（４分間隔）で交互に繰り返される。つまり、加湿換気運転での２つの動作の１回毎の動作時間は３分に設定されている。この加湿換気運転中において、第１バイパス用ダンパ（83）及び第２バイパス用ダンパ（84）は、常に閉状態となる。
【００８８】
加湿換気運転中の調湿ユニット（10）では、室外空気が外気吸込口（24）からケーシング（11）内へ第２空気として取り込まれ、室内空気が内気吸込口（23）からケーシング（11）内へ第１空気として取り込まれる。
【００８９】
先ず、加湿換気運転の第１動作について説明する。図６に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の調湿回路（50）では、四路切換弁（54）が第１状態（図２に示す状態）に設定され、第１吸着熱交換器（51）が凝縮器（高圧側の吸着熱交換器）となって第２吸着熱交換器（52）が蒸発器（低圧側の吸着熱交換器）となる。
【００９０】
上記内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００９１】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００９２】
次に、加湿換気運転の第２動作について説明する。図７に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の調湿回路（50）では、四路切換弁（54）が第２状態（図３に示す状態）に設定され、第１吸着熱交換器（51）が蒸発器（低圧側の吸着熱交換器）となって第２吸着熱交換器（52）が凝縮器（高圧側の吸着熱交換器）となる。
【００９３】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００９４】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００９５】
〈単純換気運転〉
単純換気運転中における調湿ユニット（10）の動作について、図８を参照しながら説明する。
【００９６】
単純換気運転中の調湿ユニット（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、上記熱源回路（60）の圧縮機（53）は停止状態となる。
【００９７】
単純換気運転中の調湿ユニット（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００９８】
また、単純換気運転中の調湿ユニット（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００９９】
本実施形態の調湿システムでは、複数調湿ユニット（10）がこのような３つの運転を選択的に行いながら、各室内の調湿を行う。
【０１００】
〈調湿ユニットの能力制御〉
上記調湿システムの能力制御について、図９を用いて説明する。尚、上記調湿ユニット（10）の調湿能力とは該調湿ユニット（10）が有する調湿回路（50）の吸着熱交換器（51,52）の調湿能力のことを言う。
【０１０１】
上記調湿側のサブコントローラ（1a）にある目標温度決定部（3）は、上記各目標湿度入力部（2）から入力された目標湿度Ｍｓと上記外気湿度センサ（図示無し）から入力された外気湿度Ｍｏとに基づいて蒸発温度の目標値Ｔｅｓを演算する。ここで、上記目標温度決定部（3）は、上記目標湿度Ｍｓと上記外気湿度Ｍｏと上記目標値Ｔｅｓとの関係が予め定められた相関式を有している。そして、この相関式に基づいて、上記目標湿度Ｍｓ及び上記外気湿度Ｍｏから上記目標値Ｔｅｓを演算する。
【０１０２】
尚、この演算は、上記各調湿回路（50）の四路切換弁（54）が第１状態又は第２状態に切り換えられている間に単位時間ごとに行われる。そして、その切換時から現在までの間に演算された複数の目標値Ｔｅｓのうち、最も小さな目標値Ｔｅｓを上記圧縮機側のサブコントローラ（1b）にある設定温度決定部（7）へ出力する。
【０１０３】
上記設定温度決定部（7）では、各目標温度決定部（3）から入力された目標値Ｔｅｓのうち最も小さな目標値Ｔｅｓを演算した後、その演算した値を設定値Ｔｅｍとして上記設定温度補正部（8）と、上記調湿側のサブコントローラ（1a）にある設定過熱度決定部（4）及び第２膨張弁制御部（5b）とに出力する。
【０１０４】
上記設定温度補正部（8）は、能力判定部（8a）と設定温度変更部（8b）とからなり、上記各調湿ユニット（10）からフィードバックされた室内湿度Ｍｉ及び出口過熱度ＳＨと、上記各目標湿度入力部（2）から入力された目標湿度Ｍｓとから上記設定値Ｔｅｍを必要に応じて変更する。つまり、目標湿度Ｍｓと外気湿度Ｍｏから演算された設定値Ｔｅｍを室内湿度Ｍｉに基づいて補正している。
【０１０５】
具体的に、上記能力判定部（8a）は、上記各調湿ユニット（10）ごとに能力アップ又は能力ダウンを判定してその判定に応じた信号を上記設定温度変更部（8b）へ出力するように構成されている。
【０１０６】
上記能力判定部（8a）が、上記調湿ユニット（10）を能力アップと判定する条件について述べる。判定対象の調湿ユニット（10）が除湿換気運転又は加湿換気運転している場合は、現在湿度Ｍｉが目標湿度Ｍｓに近づく速さが所定値よりも遅く、且つ低圧側の吸着熱交換器（51,52）の出口過熱度が下限値よりも小さい場合に能力アップと判定する。つまり、上記調湿ユニット（10）の調湿能力が調湿負荷よりも小さい場合に能力アップと判定する。尚、上記出口過熱度の下限値は、上記圧縮機（53）に液冷媒が吸入されない程度に小さな値に設定されている。
【０１０７】
次に、上記能力判定部（8a）が、上記調湿ユニット（10）を能力ダウンと判定する条件について述べる。判定対象の調湿ユニット（10）が除湿換気運転又は加湿換気運転している場合は、現在湿度Ｍｉが目標湿度Ｍｓに近づく速さが所定値よりも速く、且つ低圧側の吸着熱交換器（51,52）の出口過熱度が上限値よりも大きい場合に能力ダウンと判定する。つまり、上記調湿ユニット（10）の調湿能力が調湿負荷よりも大きい場合に能力ダウンと判定する。尚、上記出口過熱度の上限値は、上記膨張弁（55）が最小開度のときの出口過熱度に近い値に設定されている。このように各調湿ユニット（10）ごとに能力アップ及び能力ダウンが判定されて、その判定に対応した信号が上記設定温度変更部（8b）へ出力される。
【０１０８】
上記設定温度変更部（8b）では、上記能力判定部（8a）から入力される全ての信号が能力ダウンの信号である場合には、上記圧縮機制御部（9）へ入力される設定値Ｔｅｍを現在よりも高くした設定値Ｔｅｍｓを上記インバータ（9）へ出力する。又、上記能力判定部（8a）から入力される信号の少なくとも１つが能力アップの信号である場合には、上記圧縮機制御部（9）に入力される設定値Ｔｅｍを現在よりも低くした設定値Ｔｅｍｓを上記インバータ（9）へ出力する。
【０１０９】
上記インバータ（9）では、上記設定温度変更部（8b）から出力された設定値Ｔｅｍｓと上記圧縮機ユニット（60a）からフィードバックされた蒸発温度の現在値Ｔｅとの偏差ｅ２が入力され、この偏差ｅ２が圧縮機（53）の運転周波数ｆに変換された後に上記圧縮機ユニット（60a）へ入力されて上記圧縮機（53）の運転周波数ｆが変更される。
【０１１０】
具体的に、上記設定値Ｔｅｍｓに対して上記現在値Ｔｅが低いときには、上記運転周波数ｆは現在よりも低くなる。逆に、上記設定値Ｔｅｍｓに対して上記現在値Ｔｅが高いときには、上記運転周波数ｆは現在よりも高くなる。このようにして、上記圧縮機（53）の運転周波数が制御されて、上記冷媒回路（20）の蒸発温度Ｔｅは上記設定値Ｔｅｍｓに近づく。
【０１１１】
上記設定過熱度決定部（4）では、上記設定温度補正部（8）から入力された設定値Ｔｅｍと上記各調湿ユニット（10）からフィードバックされた室内湿度Ｍｉと上記外気湿度センサから入力された外気湿度Ｍｏと上記目標湿度入力部（2）から入力された目標湿度Ｍｓとに基づいて出口過熱度設定値ＳＨsを演算した後、その出口過熱度設定値ＳＨsを上記設定過熱度変更部（6）に出力する。
【０１１２】
ここで、上記設定過熱度決定部（4）は、上記目標湿度Ｍｓと上記外気湿度Ｍｏと上記室内湿度Ｍｉと上記設定値Ｔｅｍと上記出口過熱度設定値ＳＨsとの関係が予め定められた相関式を有している。そして、この相関式に基づいて、上記目標湿度Ｍｓと上記外気湿度Ｍｏと上記室内湿度Ｍｉと上記設定値Ｔｅｍとから上記出口過熱度設定値ＳＨsを演算する。
【０１１３】
上記設定過熱度変更部（6）では、上記目標湿度入力部（2）から入力された目標湿度Ｍｓと上記各調湿ユニット（10）からフィードバックされた室内湿度Ｍｉに基づいて、上記設定過熱度決定部（4）から入力された出口過熱度設定値ＳＨsを必要に応じて変更する。
【０１１４】
具体的に、まず、上記調湿ユニット（10）が除湿換気運転を行っている場合について述べる。現在湿度Ｍｉが目標湿度Ｍｓに近づく速さが所定値よりも速い場合には、現在湿度Ｍｉが目標湿度Ｍｓよりもなるべく低くならないように、上記設定値ＳＨｓを現在よりも高くした設定値ＳＨｓを上記第１膨張弁制御部（5a）へ出力する。一方、現在湿度Ｍｉが目標湿度Ｍｓに近づく速さが所定値よりも遅い場合には、除湿能力を増やさなければならないので、上記設定値ＳＨｓを現在よりも低くした設定値ＳＨｓを上記第１膨張弁制御部（5a）へ出力する。
【０１１５】
次に、上記調湿ユニット（10）が加湿換気運転を行っている場合について述べる。現在湿度Ｍｉが目標湿度Ｍｓに近づく速さが所定値よりも速い場合には、現在湿度Ｍｉが目標湿度Ｍｓよりもなるべく高くならないように、上記設定値ＳＨｓを現在よりも高くした設定値ＳＨｓを上記第１膨張弁制御部（5a）へ出力する。一方、現在湿度Ｍｉが目標湿度Ｍｓに近づく速さが所定値よりも遅い場合には、加湿能力を増やさなければならないので、上記設定値ＳＨｓを現在よりも低くした設定値ＳＨｓを上記第１膨張弁制御部（5a）へ出力する。
【０１１６】
上記第２膨張弁制御部（5b）では、上記設定温度決定部（7）から出力された蒸発温度設定値Ｔｅｍと上記調湿ユニット（10）からフィードバックされた室内湿度Ｍｉと上記外気湿度センサから入力された外気湿度Ｍｏと上記目標湿度入力部（2）から入力された目標湿度Ｍｓとに基づいてフィードフォワード制御で上記膨張弁（55）の開度値ＥＶｂ１が決定される。
【０１１７】
ここで、上記第２膨張弁制御部（5b）は、上記目標湿度Ｍｓと上記外気湿度Ｍｏと上記室内湿度Ｍｉと上記設定値Ｔｅｍと上記開度値ＥＶｂ１との関係が予め定められた相関式を有している。そして、この相関式に基づいて、上記目標湿度Ｍｓと上記外気湿度Ｍｏと上記室内湿度Ｍｉと上記設定値Ｔｅｍとから上記開度値ＥＶｂ１を演算する。
【０１１８】
そして、上記第１膨張弁制御部（5a）から出力された上記膨張弁（55）の開度値ＥＶａ１と上記第２膨張弁制御部（5b）から出力された上記膨張弁（55）の開度値ＥＶｂ１とに基づいた開度値ＥＶが上記調湿ユニット（10）に入力されて上記膨張弁（55）の開度が変更される。
【０１１９】
このように、上記圧縮機（53）の運転容量と上記各膨張弁（55）の開度とが調整されて、上記室内湿度Ｍｉが上記目標湿度Ｍｓに近づく。
【０１２０】
−実施形態の効果−
本実施形態によれば、上記調湿ユニット（10）の運転状況に応じて決定された最適な上記目標値Ｔｅｓに基づいて上記設定値Ｔｅｍを決定している。これにより、上記各調湿ユニット（10）をできるだけサーモオフさせずに最適な調湿能力の調整を行うことができる。
【０１２１】
また、本実施形態によれば、上記目標温度決定部（3）から入力された全ての上記目標値Ｔｅｓのうち最も小さな目標値Ｔｅｓを上記設定値Ｔｅｍに設定することにより、全ての調湿ユニット（10）において、できるだけサーモオフさせない範囲内で調湿能力の不足を生じさせにくくしながら最適な調湿能力の調整を行うことができる。
【０１２２】
また、本実施形態によれば、上記能力判定部（8a）により、各調湿ユニット（10）ごとに必要に応じて能力アップ又は能力ダウンを判定し、その判定結果に基づいて、上記圧縮機制御部（9）へ入力される上記設定値Ｔｅｍを変更することができる。これにより、各調湿ユニット（10）の能力変化に応じて上記設定値Ｔｅｍを最適に設定することができる。
【０１２３】
また、本実施形態によれば、全ての調湿ユニット（10）において、調湿能力が余り気味と判定された場合には、上記設定温度補正部（8）が、上記設定値Ｔｅｍを現在よりも高くして、調湿能力が不足気味とならない範囲で、全ての調湿ユニット（10）の調湿能力を一律に減少させることができる。これにより、全ての調湿ユニット（10）の調湿能力が調湿負荷に近づくので、上記各調湿ユニット（10）をできるだけサーモオフさせずに最適な調湿能力の調整を行うことができる。
【０１２４】
また、本実施形態によれば、少なくとも１つの調湿ユニット（10）で調湿能力が不足気味と判定された場合には、上記設定温度補正部（8）が、上記設定値Ｔｅｍを現在よりも高くして、調湿能力が余り気味とならない範囲で、各調湿ユニット（10）の調湿能力を一律に増加させることができる。これにより、全ての調湿ユニット（10）において、調湿能力不足を生じさせずに最適に調湿能力の調整を行うことができる。
【０１２５】
また、本実施形態によれば、上記各調湿ユニット（10）の調湿能力を、上記圧縮機（53）の容量制御と上記出口過熱度ＳＨに基づく上記膨張弁（55）の開度制御とで行うことができ、各調湿ユニット（10）の調湿能力を調湿負荷にさらに近づけやすくすることができる。これにより、上記各調湿ユニット（10）をできるだけサーモオフさせずにさらに最適な調湿能力の調整を行うことができる。
【０１２６】
また、本実施形態によれば、上記第２膨張弁制御部（5b）により、上記膨張弁（55）の開度を予め予測した開度で調整することができ、各調湿ユニット（10）の調湿能力を調整する際の変動を小さくすることができる。これにより、上記各調湿ユニット（10）をできるだけ安定した状態で最適な調湿能力の調整を行うことができる。
【０１２７】
また、本実施形態によれば、上記設定過熱度変更部（6）により、上記現在湿度Ｍｉが上記目標湿度Ｍｓに近づくように、第１膨張弁制御部（5a）へ入力される設定値ＳＨｓを変更することができる。これにより、各調湿ユニット（10）の調湿能力を調湿負荷にさらに近づけやすくすることができる。
【０１２８】
《その他の実施形態》
上記実施形態については、以下のような構成としてもよい。
【０１２９】
本実施形態では、上記目標温度決定部（3）において、目標湿度Ｍｓと外気湿度Ｍｏとに基づいて蒸発温度の目標値Ｔｅｓを演算しているが、これに限定されず、目標湿度Ｍｓと外気湿度Ｍｏと現在湿度Ｍｉとに基づいて蒸発温度の目標値Ｔｅｓを演算してもよい。
【０１３０】
本実施形態では、上記目標温度決定部（3）、上記設定過熱度決定部（4）及び上記第２膨張弁制御部（5b）は相関式を有しているが、それに限定されず、例えばその相関式に基づいて作成したマップであってもよい。尚、上記マップを用いれば、数式とは違い、煩雑な計算を避けることができる。
【０１３１】
本実施形態では、上記設定過熱度決定部（4）が、蒸発温度の設定値Ｔｅｍと室内湿度Ｍｉと外気湿度Ｍｏと目標湿度Ｍｓとに基づいて出口過熱度設定値ＳＨsを演算しているが、これに限定されず、現在湿度Ｍｉ及び屋外の外気湿度Ｍｏの一方と蒸発温度の設定値Ｔｅｍと目標湿度Ｍｓとに基づいて出口過熱度設定値ＳＨsを演算してもよい。
【０１３２】
本実施形態では、上記第２膨張弁制御部（5b）が、蒸発温度の設定値Ｔｅｍと室内湿度Ｍｉと外気湿度Ｍｏと目標湿度Ｍｓとに基づいて電動膨張弁（55）の開度を調整しているが、これに限定されず、現在湿度Ｍｉ及び屋外の外気湿度Ｍｏの一方と蒸発温度の設定値Ｔｅｍと目標湿度Ｍｓとに基づいて電動膨張弁（55）の開度を調整してもよい。
【０１３３】
本実施形態によれば、全ての調湿ユニット（10）が除湿換気運転又は加湿換気運転を行っている場合について示したが、全ての調湿ユニット（10）のうち除湿換気運転するものと加湿換気運転するものとが混在していてもよい。
【０１３４】
なお、以上の実施形態は、本質的に好ましい例示であって、本発明、その適用物、あるいはその用途の範囲を制限することを意図するものではない。
【産業上の利用可能性】
【０１３５】
以上説明したように、本発明は、冷媒回路に接続された吸着熱交換器で空気の湿度を調節する調湿システムについて有用である。
【図面の簡単な説明】
【０１３６】
【図１】調湿ユニットの一部を省略して示す概略の平面図、右側面図、及び左側面図である。
【図２】冷媒回路の構成を示す配管系統図であって、四路切換弁が全て第１動作に設定された場合のものである
【図３】冷媒回路の構成を示す配管系統図であって、四路切換弁が全て第２動作に設定された場合のものである
【図４】除湿換気運転の第１動作における空気の流れを示す調湿ユニットの概略の平面図、右側面図、及び左側面図である。
【図５】除湿換気運転の第２動作における空気の流れを示す調湿ユニットの概略の平面図、右側面図、及び左側面図である。
【図６】加湿換気運転の第１動作における空気の流れを示す調湿ユニットの概略の平面図、右側面図、及び左側面図である。
【図７】加湿換気運転の第２動作における空気の流れを示す調湿ユニットの概略の平面図、右側面図、及び左側面図である。
【図８】単純換気運転における空気の流れを示す調湿ユニットの概略の平面図、右側面図、及び左側面図である。
【図９】メインコントローラのブロック図である。
【符号の説明】
【０１３７】
1   メインコントローラ（制御手段）
2   目標湿度入力部
3   目標温度決定部
4   設定過熱度決定部
5a  第１膨張弁制御部
5b  第２膨張弁制御部
6   設定過熱度変更部
7   設定温度決定部
8   設定温度補正部
8a  能力判定部
8b  設定温度変更部
9   インバータ （圧縮機制御部）
10  調湿ユニット
【図１】
2010085023.tif 000003
【図２】
2010085023.tif 000004
【図３】
2010085023.tif 000005
【図４】
2010085023.tif 000006
【図５】
2010085023.tif 000007
【図６】
2010085023.tif 000008
【図７】
2010085023.tif 000009
【図８】
2010085023.tif 000010
【図９】
2010085023.tif 000011